(57)【要約】  小型でありながら、光束を有効に反射できる光走査型の対象物検出装置を提供する。光走査型の対象物検出装置において、光源から出射された光束は、第１ミラー面で反射した後、第２ミラー面で反射されると共にミラーユニットの回転により走査投光され、走査投光された光束のうち対象物で散乱された光束の一部が、第２ミラー面で反射した後、第１ミラー面で反射されて受光素子で受光され、第１ミラー面上において互いに比較すると，走査投光された光束の面積よりも、対象物で散乱され受光素子に受光される光束の面積が大きくなっており、光源から出射された光束の第１ミラー面に対する入射角θinc（°）は，以下の式を満たす。  θ／２−７＜θinc＜θ／２＋１１      （１）但し、  θ：第１ミラー面と第２ミラー面とのなす交差角（°）
2017135225.tif 000002
【特許請求の範囲】
【請求項１】
回転軸と交差する方向に傾斜し所定の角度で向き合う第１ミラー面と第２ミラー面とが形成されたミラーユニットと、光源と、受光素子と、を有し、
前記光源から出射された光束は、前記第１ミラー面で反射した後、前記第２ミラー面で反射されると共に前記ミラーユニットの回転により走査投光され、
前記走査投光された光束のうち対象物で散乱された光束の一部が、前記第２ミラー面で反射した後、前記第１ミラー面で反射されて前記受光素子で受光され、
前記第１ミラー面上において互いに比較すると、前記走査投光された光束の面積よりも、前記対象物で散乱され前記受光素子に受光される光束の面積が大きくなっており、
前記光源から出射された光束の前記第１ミラー面に対する入射角θinc（°）は，以下の式（１）を満たす光走査型の対象物検出装置。
θ／２−７＜θinc＜θ／２＋１１        （１）
但し、
θ：前記第１ミラー面と前記第２ミラー面とのなす交差角（°）
【請求項２】
前記ミラーユニットは、前記第１ミラー面と前記第２ミラー面を複数対有し、前記第１ミラー面と前記第２ミラー面の交差角が各々異なっている請求項１に記載の光走査型の対象物検出装置。
【請求項３】
前記ミラーユニットの回転軸に対する前記光源の光軸は固定されており、前記ミラーユニットの回転軸に対する前記第１ミラー面の傾き角は、前記第１ミラー面毎に異なっている請求項２に記載の光走査型の対象物検出装置。
【請求項４】
以下の条件式（２）を満たす請求項１乃至３のいずれかに記載の光走査型の対象物検出装置。
１＜ＤＡ／ＳＡ≦５３        （２）
但し、
ＤＡ：前記受光素子に受光される光束の面積
ＳＡ：前記走査投光された光束の面積
【発明の詳細な説明】
【技術分野】
【０００１】
本発明は、遠方の物体を検出することができる光走査型の対象物検出装置に関する。
【背景技術】
【０００２】
近年、自動車や飛行体などの分野で、進行方向前方に存在する障害物の検知を行うために、例えばレーザー光を走査しつつ出射し、対象物に当たって反射した反射光を受光して、出射時と受光時との時間差に基づいて、障害物の情報を取得する光走査型の対象物検出装置が開発され、既に実用化されている。【０００３】
このような対象物検出装置は、上述した移動体の障害物検知の他にも、建物の軒下などに設けて不審者を検知する防犯用途、或いはヘリコプターや航空機などに搭載して上空から地形情報を取得する地形調査用途などにも適用でき、また大気中のガス濃度を測定するガス検知用途にも適用可能である。【０００４】
一般的な光走査型の対象物検出装置においては、投光系が光源としてのレーザーダイオードとコリメートレンズから構成され、受光系が受光レンズ（またはミラー）とフォトダイオードなどの光検出素子から構成され、更には投光系と受光系との間に反射面を備えた反射ミラーが配置されている。このようなレーザー走査型の対象物検出装置においては、反射ミラーの回転によって、投光系から出射された光を走査投光することにより、１点での測定ではなく２次元的に対象物を広範囲に測定できるというメリットがある。尚、光源としてはレーザー以外にＬＥＤ等が用いられる場合もある。【０００５】
レーザー光源を例にとると、一般的なレーザー光束の走査手法として、ミラーまたは複数のミラー面をもつポリゴンミラーにレーザー光束を投射し、ミラーを揺動またはポリゴンミラーを回転させてレーザー光束を走査する技術が知られている。【０００６】
特許文献１には、回転ミラーに、９０°の挟み角で第１反射面と第２反射面を形成し、回転軸の直交方向に沿って光源から出射した光束を、第１反射面と第２反射面とで２回反射させて走査することで、回転ぶれにより回転軸が倒れても、走査線の乱れを招かない構成が開示されている。また、特許文献２には、複数対の第１ミラーと第２ミラーを配置し、第１ミラーと第２ミラーの交差角を対毎に変えることで、１回転で複数の異なる副走査位置での走査を行えるレーザーレーダーが開示されている。
【先行技術文献】
【特許文献】
【０００７】
【特許文献１】特開昭５０−１０９７３７号公報
【特許文献２】国際公開２０１４／１６８１３７号公報
【発明の概要】
【発明が解決しようとする課題】
【０００８】
ところで、特許文献２に示すように複数対の第１ミラーと第２ミラーを配置し、第１ミラーと第２ミラーの交差角を対毎に変え、１回転で複数の異なる副走査位置の走査を行う場合、ミラー対ごとに光源から出射した光束の第１ミラーに対する最適な入射角が存在する。しかるに、第１ミラーと第２ミラーが同じ形状であり、入射角が最適な角度と異なる場合は第２ミラーで反射した物体からの散乱光の一部が第１ミラーで反射されず、受光センサまで届かない、いわゆる光束抜けが発生し、ミラー面に信号受信に使われない領域が存在する為効率が悪い。特に光束のミラー面上での面積が大きいほど光束の一部が欠ける光線抜けが発生する割合が高まることになる。このような課題を解決する一手法としては、光線抜けが発生し無い様にミラー面積を拡大することが考えられるが、それにより構成の大型化を招くという新たな問題が生じうる。【０００９】
本発明は、上記事情に鑑みなされたものであり、小型でありながら、光束を有効に反射できる光走査型の対象物検出装置を提供することを目的とする。
【課題を解決するための手段】
【００１０】
上述した目的のうち少なくとも一つを実現するために、本発明の一側面を反映した光走査型の対象物検出装置は、
回転軸と交差する方向に傾斜し所定の角度で向き合う第１ミラー面と第２ミラー面とが形成されたミラーユニットと、光源と、受光素子と、を有し、
前記光源から出射された光束は、前記第１ミラー面で反射した後、前記第２ミラー面で反射されると共に前記ミラーユニットの回転により走査投光され、
前記走査投光された光束のうち対象物で散乱された光束の一部が、前記第２ミラー面で反射した後、前記第１ミラー面で反射されて前記受光素子で受光され、
前記第１ミラー面上において互いに比較すると，前記走査投光された光束の面積よりも、前記対象物で散乱され前記受光素子に受光される光束の面積が大きくなっており、
前記光源から出射された光束の前記第１ミラー面に対する入射角θinc（°）は，以下の式を満たすものである。
θ／２−７＜θinc＜θ／２＋１１        （１）
但し、
θ：前記第１ミラー面と前記第２ミラー面とのなす交差角（°）
【発明の効果】
【００１１】
本発明によれば、小型でありながら、光束を有効に反射できる光走査型の対象物検出装置を提供することができる。
【図面の簡単な説明】
【００１２】
【図１】本実施形態にかかる光走査型の対象物検出装置としてのレーザーレーダーを車両に搭載した状態を示す概略図である。
【図２】本実施形態にかかるレーザーレーダーＬＲの断面である。
【図３】本実施形態にかかるレーザーレーダーＬＲの筐体を除く主要部を示す斜視図である。
【図４】ミラーユニットＭＵの回転に応じて、出射するレーザースポット光ＳＢ（ハッチングで示す）で、レーザーレーダーＬＲの検出範囲Ｇ内を走査する状態を示す図である。
【図５】本実施形態のミラーユニットＭＵの回転軸線ＲＯを通る断面図である。
【図６】回転軸線ＲＯ方向に第１ミラー面Ｍ１と第２ミラー面Ｍ２を投影した状態で示す模式図である。
【図７】縦軸にミラーの有効効率をとり、横軸に最適入射角（θ／２）からのズレをとって示すグラフである。
【発明を実施するための形態】
【００１３】
以下、添付した図面を参照しながら、本発明の実施形態を説明する。図１は、本実施形態にかかる光走査型の対象物検出装置としてのレーザーレーダーを車両に搭載した状態を示す概略図である。本実施形態のレーザーレーダーＬＲは、車両１のフロントウィンドウ１ａの上端内側に設けられているが、それ以外の車外（フロントグリル１ｂの背後など）に配置されていても良い。
【００１４】
図２は、本実施形態にかかるレーザーレーダーＬＲの断面であり、図３は、本実施形態にかかるレーザーレーダーＬＲの筐体を除く主要部を示す斜視図であるが、構成要素の形状や長さ等、実際と異なる場合がある。レーザーレーダーＬＲは、図２に示すように筐体ＣＳの内部に収容されている。筐体ＣＳの側部には、光束を入出射可能な窓部ＷＳが形成されており、窓部ＷＳはガラス、樹脂等の透明板ＴＲで構成されている。
【００１５】
図２、３に示すように、レーザーレーダーＬＲは、例えばレーザー光束を出射するパルス式の半導体レーザー（光源）ＬＤと、半導体レーザーＬＤからの発散光の発散角を狭め、略平行光に変換するコリメートレンズＣＬと、コリメートレンズＣＬで略平行とされたレーザー光を、回転するミラー面により対象物ＯＢＪ側（図１）に向かって走査投光すると共に、走査投光された対象物ＯＢＪからの散乱光を反射させるミラーユニットＭＵと、ミラーユニットＭＵで反射された対象物ＯＢＪからの散乱光を集光するレンズＬＳと、レンズＬＳにより集光された光を受光するフォトダイオード（受光素子）ＰＤとを有する。
【００１６】
半導体レーザーＬＤと、コリメートレンズＣＬとで投光系ＬＰＳを構成し、レンズＬＳと、フォトダイオードＰＤとで受光系ＲＰＳを構成する。投光系ＬＰＳ及び受光系ＲＰＳの光軸は、ミラーユニットＭＵの回転軸ＲＯに対して略直交しており、また両者は平行である。
【００１７】
ミラーユニットＭＵは、２つの四角錐を逆向きに接合して一体化したごとき形状を有し、すなわち対になって向き合う方向に傾いたミラー面Ｍ１、Ｍ２を４対有している、いわゆる２回反射タイプである。各対のミラー面Ｍ１、Ｍ２の交差角はそれぞれ異なっている。回転軸ＲＯに対して交差する方向に傾いたミラー面Ｍ１、Ｍ２は、ミラーユニットの形状をした樹脂素材（例えばＰＣ）の表面に、反射膜を蒸着することにより形成されていると好ましい。ミラーユニットＭＵは、モータＭＴの軸ＳＨに連結され、回転駆動されるようになっている。
【００１８】
次に、レーザーレーダーＬＲの対象物検出動作について説明する。図２、３において、半導体レーザーＬＤからパルス状に間欠的に出射された発散光は、コリメートレンズＣＬで略平行光束ＳＢに変換され、回転するミラーユニットＭＵの第１ミラー面Ｍ１に入射し、ここで反射され、更に第２ミラー面Ｍ２で反射した後、透明板ＴＲを透過して外部の対象物ＯＢＪ側に、例えば縦長の断面（走査方向に対し走査直交方向が長い断面）を持つレーザースポット光として走査投光される。
【００１９】
図４は、ミラーユニットＭＵの回転に応じて、出射するレーザースポット光ＳＢ（ハッチングで示す）で、レーザーレーダーＬＲの検出範囲Ｇ内を走査する状態を示す図である。ミラーユニットＭＵの第１ミラー面Ｍ１と第２ミラー面Ｍ２の組み合わせにおいて、それぞれ交差角が異なっている。レーザースポット光は、回転する第１ミラー面Ｍ１と第２ミラー面Ｍ２にて、順次反射される。まず１番対の第１ミラー面Ｍ１と第２ミラー面Ｍ２にて反射したレーザースポット光は、ミラーユニットＭＵの回転に応じて、検出範囲Ｇの一番上の領域Ｌｎ１を水平方向に左から右へと走査される。次に、２番対の第１ミラー面Ｍ１と第２ミラー面Ｍ２で反射したレーザースポット光は、ミラーユニットＭＵの回転に応じて、検出範囲Ｇの上から二番目の領域Ｌｎ２を水平方向に左から右へと走査される。次に、３番対の第１ミラー面Ｍ１と第２ミラー面Ｍ２で反射したレーザースポット光は、ミラーユニットＭＵの回転に応じて、検出範囲Ｇの上から三番目の領域Ｌｎ３を水平方向に左から右へと走査される。次に、４番対の第１ミラー面Ｍ１と第２ミラー面で反射したレーザースポット光は、ミラーユニットＭＵの回転に応じて、検出範囲Ｇの最も下の領域Ｌｎ４を水平方向に左から右へと走査される。これにより検出範囲Ｇ全体の１回の走査が完了する。そして、ミラーユニットＭＵが１回転した後、１番対の第１ミラー面Ｍ１と第２ミラー面Ｍ２が戻ってくれば、再び検出範囲Ｇの一番上の領域Ｌｎ１から最も下の領域Ｌｎ４までの走査を繰り返す。
【００２０】
図２、３において、走査投光された光束のうち対象物ＯＢＪに当たって散乱された散乱光の一部が、再び透明板ＴＲを透過して筐体ＣＳ内のミラーユニットＭＵの第２ミラー面Ｍ２に入射し、ここで反射され、更に第１ミラー面Ｍ１で反射された後、レンズＬＳにより集光され、フォトダイオードＰＤの受光面で検知されることとなる。不図示の回路にて、半導体レーザーＬＤの出射時と、フォトダイオードＰＤの検出時との時間差を求めることで、対象物ＯＢＪまでの距離が分かる。
【００２１】
しかるに、対象物ＯＢＪからの散乱光は、例え第２ミラー面Ｍ２と第１ミラー面Ｍ１の全面でそれぞれ反射したとしても、開口絞りとして機能するレンズＬＳ（ここでは円形とするが、円形に限られない）により絞られるので、最終的にフォトダイオードＰＤに入射するのはその一部となる。つまり、窓部ＷＳより入射する物体からの散乱光のうち、ハッチングで示す光束のみがレンズＬＳにより集光され、フォトダイオードＰＤに受光されることとなる。ここで、レンズＬＳにより集光される光束を受光光束ＲＢとすると、図３に一点鎖線で示すように、第２ミラー面Ｍ２、第１ミラー面Ｍ１を介して、所定の断面を有する受光光束ＲＢがレンズＬＳに入射するようになっている。図から明らかなように、第１ミラー面上において互いに比較して、受光光束ＲＢの面積は、出射光束ＳＢの面積より大きくなっている。
【００２２】
ところで、ミラーユニットＭＵの小型化を図りつつ、ミラー面の利用効率を高めるためには、第１ミラー面Ｍ１で反射した光束のほぼ全てを第２ミラー面Ｍ２で反射することが望ましい。以下、そのような効果を有する構成について説明する。
【００２３】
図５は、本実施形態のミラーユニットＭＵの回転軸線ＲＯを通る断面図であるが、片側のみ示している。図５の例では、回転軸線ＲＯに対する第１ミラー面Ｍ１の傾きは変わらず、回転軸線ＲＯに対する第２ミラー面Ｍ２の傾きを変えることで、第１ミラー面Ｍ１と第２ミラー面Ｍ２との交差角を対毎に変えているものとする。
【００２４】
図５において、回転軸線ＲＯに対する第１ミラー面Ｍ１の傾き角αは４５°である。又、実線で示す第２ミラー面Ｍ２（２）は、第１ミラー面Ｍ１に対する交差角θが９０°であるのに対し、一点鎖線で示す第２ミラー面Ｍ２（１）は、第１ミラー面Ｍ１に対する交差角θが９０°未満であり、点線で示す第２ミラー面Ｍ２（３）は、第１ミラー面Ｍ１に対する交差角θが９０°を超えているものとする。
【００２５】
図６は、回転軸線ＲＯ方向に第１ミラー面Ｍ１と第２ミラー面Ｍ２を投影した状態で示す模式図（ミラー面は理解しやすいように三角形で簡略図示した）であり、（ａ）は、第２ミラー面Ｍ２（１）と第１ミラー面Ｍ１の投影像の組み合わせを示し、（ｂ）は、第２ミラー面Ｍ２（２）と第１ミラー面Ｍ１の投影像の組み合わせを示し、（ｃ）は、第２ミラー面Ｍ２（３）と第１ミラー面Ｍ１の投影像の組み合わせを示している。
【００２６】
第１ミラー面Ｍ１と第２ミラー面Ｍ２（２）の投影像は、図６（ｂ）に示すように完全に重なり合っている。従って、図５に示すように出射光束ＳＢが第１ミラー面Ｍ１の周縁近傍（例えば点Ｐ１）で反射した場合でも、第２ミラー面Ｍ２（２）の周縁近傍（例えば点Ｐ２）で反射できるため、最も効率が良いといえる。
【００２７】
これに対し、第２ミラー面Ｍ２（１）の投影像は、図６（ａ）に一点鎖線で示すように第１ミラー面Ｍ１の投影像に対して回転軸線ＲＯから離れる側に張り出している。この場合でも、製造容易性や回転バランスを考慮するとミラーユニットＭＵの外形を制限するのが望ましく、よって第２ミラー面Ｍ２（１）の幅Ｗを第１ミラー面Ｍ１の幅に等しくしたい。かかる場合、第１ミラー面Ｍ１の投影像は、第２ミラー面Ｍ２（１）の投影像に対してハッチングで示すように投影像が重ならない非重合領域ＮＲを持つこととなる。これは、第１ミラー面Ｍ１の非重合領域ＮＲで反射した光が回転軸線ＲＯに沿って進行したときに、第２ミラー面Ｍ２（１）で反射できず光束抜けを起こし、検出のために用いられないことを意味する。
【００２８】
又、第２ミラー面Ｍ２（３）の投影像は、図６（ｃ）に点線で示すように第１ミラー面Ｍ１の投影像に対して回転軸線ＲＯに接近している。この場合でも、製造容易性や回転バランスを考慮するとミラーユニットＭＵの外形を制限するのが望ましく、よって第２ミラー面Ｍ２（３）の幅Ｗを第１ミラー面Ｍ１の幅に等しくしたい。かかる場合、第１ミラー面Ｍ１の投影像は、第２ミラー面Ｍ２（３）の投影像に対してハッチングで示すように投影像が重ならない非重合領域ＮＲを持つこととなる。これは、第１ミラー面Ｍ１の非重合領域ＮＲで反射した光が回転軸線ＲＯに沿って進行したときに、第２ミラー面Ｍ２（３）で反射できず光束抜けを起こし、検出のために用いられないことを意味する。
【００２９】
そこで、本発明者は鋭意研究の結果、光源から出射された出射光束の第１ミラー面に対する入射角θinc（°）が，以下の式を満たすことを見出したのである。入射角θincとは、回転軸線ＲＯを通る断面において、出射光束と第１ミラー面の法線とがなす角度とする（図５参照）。
θ／２−７＜θinc＜θ／２＋１１        （１）
但し、
θ：第１ミラー面と第２ミラー面とのなす交差角（°）
【００３０】
ここで、第１ミラー面Ｍ１と第２ミラー面Ｍ２との交差角をθとしたときに、出射光束が第１ミラー面に対する入射角θincがθ／２に等しければ、理論上、第１ミラー面Ｍ１で反射した光は第２ミラー面Ｍ２で反射することとなる。しかしながら、入射角θincがθ／２と厳密に一致していなくても、実質的に効率が確保できるのであれば実使用上許容できる。（１）式は、入射角θincの許容される範囲を示しているが、その根拠について以下に説明する。
【００３１】
図７は、縦軸にミラーの有効効率をとり、横軸に最適入射角（θ／２）からのズレをとって示すグラフであり、「効率とミラー交差角の最適入射角ズレ依存性」について本発明者が行ったシミュレーション結果を示している。ミラーの有効効率は、第１ミラー面Ｍ１で反射した光全てが、第２ミラー面Ｍ２で反射する場合を１．０としているが、最適入射角は交差角に応じて変化する。例えば交差角θ＝９０°の場合、入射角θincがθ／２＝９０°／２＝４５°のときにミラーに有効効率がピークとなる。一方、交差角θ＝８６°の場合、入射角θincがθ／２＝８６°／２＝４３°のときにミラーの有効効率がピークとなる。これに対し、交差角θ＝９４°の場合、入射角θincがθ／２＝９４°／２＝４２°のときにミラーの有効効率がピークとなる。以上の結果を図７に整理したところ、いずれのミラー交差角θでも、最適入射角からのズレ量が０である時にピークを迎え、その前後で効率が漸次低下することがわかった。ここで、図７のグラフにおいて、ミラー交差角θ=１１０°であるとき、それ以下のミラー交差角の場合に比べて、最適入射角からのズレ量に対する効率低下の度合いが最も大きくなる。一方、ミラーの有効効率が０．５を超えている場合であれば、実使用上許容されることから、ミラー交差角θ=１１０°であっても、有効効率０．５以上を確保するには、θ／２からの入射角θincのズレ量は、少なくとも−７°〜＋１１°未満に抑えれば良いことがわかる。よって、（１）式を満たす入射角θincとすれば良いといえる。
【００３２】
尚、第１ミラー面Ｍ１と第２ミラー面Ｍ２との交差角θを９５°以上とすれば、走査直交方向に広角に走査できるので好ましい。より好ましくは，交差角θを１００°以上とすることである。例えば、ミラー交差角θ=１０２°とした場合、図７のグラフより、θ／２からの入射角θincのズレ量を−８°〜＋１６°未満に抑えれば、効率０．５以上を確保できる。
【００３３】
ここで、第１ミラー面と第２ミラー面が複数対の場合、図５の例のように第１ミラー面の傾き角を固定したまま、光源である半導体レーザーＬＤを、回転軸線を通る断面内でミラー対毎に揺動変位させることで、入射角θincを交差角θに応じて変えることができる。このような構成も本発明にかかる実施形態の範囲内であるといえるが、光源を揺動させる複雑な機構等を設ける必要がある。そこで、半導体レーザーＬＤ（の光軸）を固定した上で、（１）式に従って交差角θに応じて最適な入射角θincとなるように、各第１ミラー面の回転軸線に対する傾き角αを対毎に変更すれば、ミラーの有効効率を確保しつつ構成が簡素化されるので望ましい。但し、第１ミラー面と第２ミラー面は複数対に限られず、一対のみの場合でも（１）式を満たすようにすれば良い。また、第１ミラー面と第２ミラー面が複数対の場合、全ての対において交差角θが（１）式を満たすことが望ましい。
【００３４】
また、図２のように、第１ミラー面Ｍ１上において互いに比較して、受光光束ＲＢの面積ＤＡは、出射光束ＳＢの面積ＤＡより大きいが、両者は次の条件式（２）を満たすことが好ましい。
１＜ＤＡ／ＳＡ≦５３        （２）
条件式（２）の下限を下回ると、受光光束が小さくなりすぎて、シグナルとなる反射光を十分に受光することができない。また、上限を上回ると、受光系が大きくなりすぎて、光学系が大きくなりすぎる。また、必然的に焦点距離が長くなるため、必要な画角を得るために、センサの面積が大きくなることにより、電気ノイズが大きくなり、S/Nが悪化する。また、受光光束面積ＤＡと出射（投光）光束面積ＤＡの具体例は次のとおりである。
(a)DA：880mm2、SA：29mm2、DA/SA=30.34
(b)DA：30mm2、SA：29mm2、DA/SA=1.03
(c)DA：1519mm2、SA：29mm2、DA/SA=52.38
なお、ＤＡ／ＳＡは、次の条件式（３）を満たすことがより好ましい。
１０≦ＤＡ／ＳＡ≦４０        （３）
【００３５】
本発明は、明細書に記載の実施形態に限定されるものではなく、他の実施形態・変形例を含むことは、本明細書に記載された実施形態や技術思想から本分野の当業者にとって明らかである。明細書の記載及び実施形態は、あくまでも例証を目的としており、本発明の範囲は後述するクレームによって示されている。例えば、図面を用いて説明した本発明の内容は、全て実施形態に適用でき、ヘリコプターなどの飛行体への搭載や、建物に設置して不審者を検知する防犯センサなどにも適用できる。また、上述の実施形態では、光源として半導体レーザーを用いたもので説明したが、これに限るものでなく、光源にＬＥＤ等を用いたものであってもよいのは言うまでもない。
【符号の説明】
【００３６】
１                車両
１ａ              フロントウィンドウ
１ｂ              フロントグリル
ＣＬ              コリメートレンズ
ＣＳ              筐体
Ｇ                検出範囲
ＬＤ              半導体レーザー
Ｌｎ１〜Ｌｎ４    領域
ＬＰＳ            投光系
ＬＲ              レーザーレーダー
ＬＳ              レンズ
Ｍ１              第１ミラー面
Ｍ２              第２ミラー面
ＭＲ              光学素子
ＭＴ              モータ
ＭＵ              ミラーユニット
ＯＢＪ            対象物
ＰＤ              フォトダイオード
ＲＢ              受光光束
ＲＯ              回転軸
ＲＰＳ            受光系
ＳＢ              レーザースポット光（出射光束）
ＳＨ              軸
ＴＲ              透明板
ＷＳ              窓部
【図１】
2017135225.tif 000003
【図２】
2017135225.tif 000004
【図３】
2017135225.tif 000005
【図４】
2017135225.tif 000006
【図５】
2017135225.tif 000007
【図６】
2017135225.tif 000008
【図７】
2017135225.tif 000009
【国際調査報告】
2017135225.tif 000010
2017135225.tif 000011